(57)【要約】【課題】樹脂製ダボを抽斗レールに取り付けた後は、ワンアクションで抽斗レールを被取付体に固着することができると共に、抽斗レールを取り外す場合でも、ビス下孔やダボ突起及びダボ穴等を型崩れさせることなく簡単に取り外し再使用に供することができる樹脂製ダボ及びこの樹脂製ダボを用いた抽斗レールの取付・取外方法を提供する。【解決手段】抽斗レール１０に開設された貫通孔１１に着脱自在に挿通されてなる止着具１２を介して取り付けられる樹脂製ダボ２０を、断面略凹状に本体２１を形成し、該本体２１の凹孔部２２の内径Ｌ１を上記貫通孔１１の孔径Ｌ２よりも若干小径に形成すると共に、上記本体２１の外形を凹凸２３に形成し、該ダボ２０を介して抽斗レール１０を側板に圧入保持させた。【選択図】図１
2005046303.tif 000002
【特許請求の範囲】
【請求項１】
抽斗レールに開設された貫通孔に着脱自在に挿通されてなる止着具を介して取り付けられる樹脂製ダボを、断面略凹状に本体を形成し、該本体の凹孔部内径を上記貫通孔の孔径よりも若干小径に形成すると共に、上記本体の外形を凹凸に形成したことを特徴とする樹脂製ダボ。
【請求項２】
前記樹脂製ダボ本体の外形は、その凸部の外径寸法が、抽斗レールが取り付けられる被取付体に開設されたダボ穴の穴径よりも若干太径に形成されていることを特徴とする請求項１に記載の樹脂製ダボ。
【請求項３】
請求項１又は請求項２のいずれかに記載の樹脂製ダボを、抽斗レールに開設された貫通孔に装着された止着具を介して抽斗レールの取付面部に少なくとも２個以上固着した後、上記各樹脂製ダボを被取付体のダボ穴に圧入し係合させたことを特徴とする樹脂製ダボを用いた抽斗レールの取付方法。
【請求項４】
抽斗レールに取り付けられた樹脂製ダボを被取付体のダボ穴から取り外す場合には、上記樹脂製ダボと抽斗レールに止着している止着具との固着状態を解除し該止着具を引き抜くことで、樹脂製ダボを凹孔部内方向に変形可能とし、上記樹脂製ダボ本体の凸部と被取付体のダボ穴との係合力を低減させることで、抽斗レールを被取付体から引抜き可能としたことを特徴とする抽斗レールの取外方法。
【発明の詳細な説明】
【技術分野】
【０００１】
この発明は、システムキッチンや洗面化粧台等の家具に引き出し自在に装着される抽斗の抽斗レールの取付・取外方法及びこれに用いられる樹脂製ダボの構造に関する。
【背景技術】
【０００２】
周知のように、抽斗を引き出し自在にガイドする抽斗レールは、図８に示すように、家具の抽斗収納部を構成する両側壁面（図示例では一方の側板１が示されている。）の抽斗レール取付部位にビス下孔２を所要数穿設しておき、抽斗レール３の取付板部３Ａに所要数開設されたビス用貫通孔４にビス５を夫々螺装してこれらを緊締することで、抽斗レール３を側板１に固定しているのが現状である。
【０００３】
しかしながら、上記従来の抽斗レールの取付方法にあっては、複数本のビス５を同じトルクで締め付けなければならないため、かかる作業が非常に煩雑であり、家具の組立ラインのスピードアップを阻害する一因とされ、作業性が非常に悪く、また、締付けトルクが過大である場合には、ビス下孔２が崩れて抽斗レール３の保持力が損なわれ、抽斗の出し入れの際には、ガタツキが発生して商品品質を損なう、という課題を有していた。さらに、型崩れしたビス下孔２は、抽斗レール３を交換する場合には二度と使用することができず、従って、抽斗レール３の取付位置を変更しなければならないため、場合によっては抽斗を引き出し自在に取り付けることができなくなる、といった課題も有していた。
【０００４】
このような課題を解決するため、従来では、特許文献１に示すダボを用いた方法が提案されている。
【０００５】
【特許文献１】特開２００１−２０４５６５号公報
【０００６】
この特許文献１に開示された従来技術は、キャビネットの側板にダボ穴を形成し、引出しレールの外側面にダボ突起を形成し、このダボ突起をダボ穴に挿入嵌合した状態で、上記引出しレールをキャビネットの側板内面にねじによって固定する技術に係るものである。
【０００７】
しかしながら、上記従来のダボ突起を用いた引出しレールの取付方法にあっても、結局は、引出しレールをねじによって固定する構造であるため、締付けトルクが過大である場合には、ねじ孔が崩れて引出しレールの保持力が損なわれることは前記従来例と同様であり、さらに、型崩れしたねじ孔は、引出しレールを交換する場合には二度と使用することができず、従って、引出しレールの取付位置を変更しなければならない、という課題も前記従来例と同様であり、さらには、引出しレールを取り外すときには、引出しレールのダボ突起とダボ穴との係合状態が堅牢であるため、これを解除するには大きな力を必要とし、かかる作業が非常に煩雑であり、また、ダボ突起やダボ穴が型崩れし易く、再使用に供し得ない場合も多く発生する、という課題も有していた。
【発明の開示】
【発明が解決しようとする課題】
【０００８】
この発明は、かかる現状に鑑み創案されたものであって、その目的とするところは、樹脂製ダボを抽斗レールに取り付けた後は、ワンアクションで抽斗レールを被取付体に固着することができると共に、抽斗レールを取り外す場合でも、ビス下孔やダボ突起及びダボ穴等を型崩れさせることなく簡単に取り外し再使用に供することができる樹脂製ダボ及びこの樹脂製ダボを用いた抽斗レールの取付・取外方法を提供しようとするものである。
【課題を解決するための手段】
【０００９】
上記目的を達成するため、請求項１に記載の発明にあっては、抽斗レールに開設された貫通孔に着脱自在に挿通されてなる止着具を介して取り付けられる樹脂製ダボを、断面略凹状に本体を形成し、該本体の凹孔部内径を上記貫通孔の孔径よりも若干小径に形成すると共に、上記本体の外形を凹凸に形成したことを特徴とするものである。
【００１０】
また、請求項２に記載の発明は、前記樹脂製ダボ本体の外形を、その凸部の外径寸法が、抽斗レールが取り付けられる被取付体に開設されたダボ穴の穴径よりも若干太径となるように形成したことを特徴とするものである。
【００１１】
このように構成された樹脂製ダボを用いて抽斗レールを取り付ける場合には、請求項３に記載したように、請求項１又は請求項２のいずれかに記載の樹脂製ダボを、抽斗レールに開設された貫通孔に装着された止着具を介して抽斗レールの取付面部に少なくとも２個以上固着した後、上記各樹脂製ダボを被取付体のダボ穴に圧入し係合させることで、取り付けることを特徴とするものである。
【００１２】
また、この発明にあっては、抽斗レールを被取付体から取り外す場合、請求項４に記載したように、上記樹脂製ダボと抽斗レールに止着している止着具との固着状態を解除して該止着具を引き抜くことで、樹脂製ダボを凹孔部内方向に変形可能とし、上記樹脂製ダボ本体の凸部と被取付体のダボ穴との係合力を低減させることで、抽斗レールを被取付体から引き抜くように構成したことを特徴とするものである。
【発明の効果】
【００１３】
請求項１に記載の発明にあっては、抽斗レールに開設された貫通孔に着脱自在に挿通されてなる止着具を介して取り付けられる樹脂製ダボを、断面略凹状に本体を形成し、該本体の凹孔部内径を上記貫通孔の孔径よりも若干小径に形成すると共に、上記本体の外形を凹凸に形成したので、ビスやねじ等の止着具で樹脂製ダボを強固に抽斗レールの貫通孔周縁部に固着することができると共に、樹脂製ダボの外形凸部が弾力性を有してダボ穴に係合させることができるので、抽斗レールを強力に保持することができる。
【００１４】
また、請求項２に記載の発明は、前記樹脂製ダボ本体の外形を、その凸部の外径寸法が、抽斗レールが取り付けられる被取付体に開設されたダボ穴の穴径よりも若干太径となるように形成したので、樹脂製ダボを確実にダボ穴に嵌合係止させることが可能となり、抽斗レールのより強力な保持力を得ることができる。
【００１５】
さらに、請求項３に記載の発明は、請求項１又は請求項２のいずれかに記載の樹脂製ダボを、抽斗レールに開設された貫通孔に装着された止着具を介して抽斗レールの取付面部に少なくとも２個以上固着した後、上記各樹脂製ダボを被取付体のダボ穴に圧入し係合させるように構成したので、ワンアクションで抽斗レールを被取付体に取り付けることができ、このため、家具の組立ラインにおける組立作業スピードを大幅に向上させて作業の能率化及び生産性の向上を図ることができる。
【００１６】
またさらに、請求項４に記載の発明は、抽斗レールに取り付けられた樹脂製ダボを被取付体のダボ穴から取り外す場合、上記樹脂製ダボと抽斗レールに止着している止着具との固着状態を解除し該止着具を引き抜くことで、樹脂製ダボを凹孔部内方向に変形可能とし、上記樹脂製ダボ本体の凸部と被取付体のダボ穴との係合力を低減させることで、抽斗レールを被取付体から引抜き可能としたので、簡単に抽斗レールを被取付体から取り外すことができ、しかも、止着具が取り除かれたダボは、縮径方向に押潰可能であるため、型崩れさせることなく容易にダボ穴から取り除くことができ、さらには、ダボ穴やダボ自体が型崩れしていないので、再使用に供することができ、経済的である。勿論、ダボ本体の凹孔が型崩れした場合には、型崩れしたダボのみを交換すればよいため、より経済的である、という効果が得られる。
【発明を実施するための最良の形態】
【００１７】
以下、添付図面に示す発明の実施例に基づき、この発明を詳細に説明する。
【実施例１】
【００１８】
図１はこの発明の実施例１に係る家具の組立状態を示す斜視図、図２は同家具の抽斗レールと樹脂製ダボの取付状態を示す断面図、図３は、同家具の抽斗レールと樹脂製ダボの取付状態を分解して示す断面説明図、図４は同家具に抽斗レールを取り付けた状態の斜視図、図５は、同家具から抽斗レールを取り外した状態を示す斜視図、図６は同家具に再び抽斗レールを取り付けた状態を示す斜視図、図７は実施例１に係る抽斗レールと抽斗本体側に取り付けられた本体側レールとの係合状態を示す断面図である。
【００１９】
この実施例１において、抽斗レール１０のレール部１０Ａから上方に延設された平板上の取付板部１３には、所要数の貫通孔１１が高さ方向の調整が可能となるように複数列（図示の実施例では２列で、一列が１２孔）開設されており、これら貫通孔１１には、ビス１２が着脱自在に挿通され、該ビス１２を介して樹脂製のダボ２０が着脱自在に抽斗レール１０の取付板部１３に固着される。尚、抽斗レール１０の基本的な構造は、抽斗を家具手前側に引き出し自在にスライドさせてガイドする従来の抽斗レールと同様であるので、その詳細な説明をここでは省略する。勿論、この発明にあっては、抽斗レール自体の構成は図示のものに限定されるものではなく、断面略コ字状のものや角パイプ状、角棒状、丸パイプ状或は丸棒状のもの等、公知の各種形状からなる抽斗レールに適用することができる。
【００２０】
上記ダボ２０は、例えばナイロン６又はナイロン６−６といった公知の合成樹脂材で成型されており、その本体２１は、断面略凹状に形成され、該本体２１の凹孔部２２の内径Ｌ１は、上記貫通孔１１の孔径Ｌ２よりも若干小径に形成されている。このようにビス１２が凹孔部２２に螺合されていない状態では、上記本体２１の上部は、図３に矢印で示すように、凹孔部２２方向（縮径方向）に向かって撓み変形可能な弾力を有して構成されている。
【００２１】
また、上記本体２１の外形は、上下方向に連続する凹凸で形成されており、該凸部２３の外径寸法Ｌ３は、抽斗レール１０が取り付けられる被取付体である家具側板１５に開設されてなるダボ穴１６の穴径Ｌ４よりも若干太径となるように形成されている。
【００２２】
このように構成されてなるダボ２０を用いて、抽斗レール１０を側板１に取り付ける場合には、先ず、抽斗レール１０の取付板部１３に開設された少なくとも前後２箇所の貫通孔１１にビス１２を夫々装着し、これらビス１２の先端部をダボ２０の凹孔部２２に挿入した後、上記ビス１２を回転させてダボ２０を上記取付板部１３の裏面側に固着する。この作業は、組み立てラインで家具を組み立てる前に予め行うことができ、かかる状態で、ダボ２０が取り付けられた抽斗レール１０を、上記組み立てラインにおいて、側板１５のダボ穴１６にハンマー等を利用して打ち込むことで、抽斗レール１０を簡単に側板１５の所定位置に取り付けることができる（図４参照）。この場合、ダボ２０の凸部２３がダボ穴１６の周面部に強い弾性力で圧接するので、十分な抽斗レール１０の保持力を得ることができる。
【００２３】
この実施例１では、上記貫通孔１１を、上下２列に形成したので、抽斗レール１０を取り付ける家具の大きさに対応させて高さ調整をすることが可能であり、また、一列に１２個の貫通孔１１を開設しているので、奥行方向への微調整も容易である。
【００２４】
次に、抽斗レール１０を取り外す場合には、図５に示すように、ビス１２をドライバー等の工具で非緊締方向へと回動させて取り外すだけで、抽斗レール１０を側板１５から取り外すことができる。このとき、ダボ２０は、ダボ穴１６に圧入されたまま取り残されるため、ダボ穴１６が該取り外し作業により型崩れしたりする心配はない。また、ダボ２０をダボ穴１６から取り外す場合にも、ビス１２が引き抜かれた状態のダボ２０は、凹孔部２２方向に変形可能であるため、ダボ穴１６との係合力（圧接力）が弱くなっているので、容易にダボ穴１６からドライバーや千枚通し等の工具で引き抜くことができる。
【００２５】
この状態から再び抽斗レール１０を側板１５に取り付ける場合には、図６に示すように、ビス１２の先端部を、貫通孔１１からダボ２０の凹孔部２２に向かって挿入し、緊締するだけで、簡単に抽斗レール１０を取り付けることができる。このとき、ダボ穴１６は、ビス１２によって傷付けられる心配がないので、抽斗レール１０の保持力が損なわれることがなく、堅牢な保持力を得ることができる。
【００２６】
このように家具の側板１５に固定された抽斗レール１０には、図７に示すように、抽斗本体３０の底板３１に一端部がビス３２で固定されてなる本体側レール３３の他端部に形成されたレール部３４が上記抽斗レール１０とスライド自在に係合されて構成されている。このように構成することで、上記レール部３４が抽斗レール１０の長手方向に沿って軽い操作力でスライドしガイドされるため、抽斗本体３０を円滑に引き出すことができる。尚、図中符号３５は抽斗本体３０の側板である。
【００２７】
尚、上記実施例１では、抽斗レール１０を側板１５から取り外す場合、ビス１２を緩めて取り外す場合を例にとり説明したが、この発明にあってはこれに限定されるものではなく、例えば、ダボ穴１６が貫通形成されている場合には、ダボ２０の底面をドライバー等で押して、ダボ２０とダボ穴１６との係合状態を解除するようにして取り外すこともできる。この場合、上記取り外し作業は、ビス１２の回転操作が不要となるため、取付作業及び取り外し作業をワンアクションで行うことができ、作業性が大幅に向上する、という効果が得られる。
【産業上の利用可能性】
【００２８】
この発明に係る樹脂製ダボ及びこの樹脂製ダボを用いた抽斗レールの取付・取外方法は、以上説明したように構成されているので、抽斗収納部を備えた家具の組立製造ラインにおける組立効率を大幅にアップさせることができ、生産効率を大幅に改善することができる。
【図面の簡単な説明】
【００２９】
【図１】この発明の実施例１に係る家具の組立状態を示す斜視図である。
【図２】同家具の抽斗レールと樹脂製ダボの取付状態を示す断面図である。
【図３】同家具の抽斗レールと樹脂製ダボの取付状態を分解して示す断面説明図である。
【図４】同家具に抽斗レールを取り付けた状態の斜視図である。
【図５】同家具から抽斗レールを取り外した状態を示す斜視図である。
【図６】同家具に再び抽斗レールを取り付けた状態を示す斜視図である。
【図７】同実施例１に係る抽斗レールと抽斗本体側に取り付けられた本体側レールとの係合状態を示す断面図である。
【図８】従来の家具と抽斗レールとの取付例を示す斜視図である。
【符号の説明】
【００３０】
１０  抽斗レール
１１  貫通孔
１２  ビス
１３  取付板部
１５  側板
１６  ダボ穴
２０  ダボ
２１  ダボ本体
２２  凹孔部
２３  凸部
３０  抽斗本体
３４  抽斗本体側レール部
Ｌ１  ダボ本体の凹孔部の内径
Ｌ２  貫通孔の孔径
Ｌ３  凸部の外径寸法
Ｌ４  ダボ穴の穴径
【図１】
2005046303.tif 000003
【図２】
2005046303.tif 000004
【図３】
2005046303.tif 000005
【図４】
2005046303.tif 000006
【図５】
2005046303.tif 000007
【図６】
2005046303.tif 000008
【図７】
2005046303.tif 000009
【図８】
2005046303.tif 000010